(57)【特許請求の範囲】
【請求項１】
上方付勢状態で立設されたステム及び該ステムに取り付けられた噴霧ヘッドを備えるエアゾール容器と、該エアゾール容器に着脱可能に嵌合されるオーバーキャップとを備えるオーバーキャップ付エアゾール容器であって、
前記噴霧ヘッドに、該噴霧ヘッドの径方向の外側に突出したフランジ部が形成され、
前記オーバーキャップの天板部には、ヒンジ部周りで下方に折り曲げ可能に区画され、前記フランジ部の上端面を押し下げる一対の押圧板が前記オーバーキャップの中心軸線を径方向で挟むように形成され、
前記押圧板において前記ヒンジ部の反対側に位置する押圧端部と該ヒンジ部との距離が、前記エアゾール容器への嵌合時における前記天板部の下面と前記フランジ部の上端面との距離よりも長いことを特徴とするオーバーキャップ付エアゾール容器。
【請求項２】
前記天板部に、前記押圧板の折り曲げ姿勢を保持可能な係止部が形成されていることを特徴とする請求項１に記載のオーバーキャップ付エアゾール容器。
【請求項３】
前記押圧板の両側縁の少なくとも一方に、該押圧板の幅方向に突出する突起部が形成され、
前記係止部が、前記天板部の下面から下方に向けて突出すると共に前記押圧板の折り曲げ時に前記突起部を引っ掛けて前記折り曲げ方向と反対方向への移動を規制する凸部材であることを特徴とする請求項２に記載のオーバーキャップ付エアゾール容器。
【請求項４】
前記押圧端部に、前記押圧板の幅方向で他方の前記押圧板に向けて突出する押圧凸部が形成されていることを特徴とする請求項１から３のいずれか１項に記載のオーバーキャップ付エアゾール容器。
【請求項５】
前記押圧板が、該押圧板の延在方向に沿って形成された補強リブを有することを特徴とする請求項１から４のいずれか１項に記載のオーバーキャップ付エアゾール容器。
【請求項６】
前記押圧板が、前記押圧端部に形成された押圧リブを有することを特徴とする請求項１から５のいずれか１項に記載のオーバーキャップ付エアゾール容器。
【発明の詳細な説明】
【技術分野】
【０００１】
本発明は、オーバーキャップ付エアゾール容器に関するものである。
【背景技術】
【０００２】
この種のエアゾール容器として、上方付勢状態で立設されたステムと、このステムに取り付けられた噴霧ヘッドとを備える構成が知られている。このようなエアゾール容器は、容器内の残留ガスを完全に排出した状態で廃棄することが求められている。そこで、オーバーキャップの天板部の下面に凸部材を設け、この凸部材により噴霧ヘッドの上端面を押し下げて残留ガスを抜き出すことを図ったオーバーキャップ付エアゾール容器が提案されている（例えば、特許文献１参照）。
【特許文献１】特開２００１−３１１５８号公報
【発明の開示】
【発明が解決しようとする課題】
【０００３】
しかしながら、上記従来のオーバーキャップ付エアゾール容器においても、以下の課題が残されている。すなわち、エアゾール容器によっては噴霧ヘッドの高さが異なることがあってオーバーキャップと噴霧ヘッドの上端面との距離が変化するため、凸部材が噴霧ヘッドを押し下げられない場合がある。そのため、オーバーキャップが適用可能となるエアゾール容器の種類が限られるという問題がある。そして、使用するエアゾール容器に応じてオーバーキャップの成形金型を変更する必要が生じるため、製造コストが増大してしまう。
【０００４】
本発明は、前述の課題に鑑みてなされたもので、噴霧ヘッドの高さによらず残留ガスを抜き出すことを可能とすることでオーバーキャップの適用範囲を広げたオーバーキャップ付エアゾール容器を提供することを目的とする。
【課題を解決するための手段】
【０００５】
本発明は、上記のような課題を解決するために以下のような手段を採用した。すなわち、本発明のオーバーキャップ付エアゾール容器は、上方付勢状態で立設されたステム及び該ステムに取り付けられた噴霧ヘッドを備えるエアゾール容器と、該エアゾール容器に着脱可能に嵌合されるオーバーキャップとを備えるオーバーキャップ付エアゾール容器であって、前記噴霧ヘッドに、該噴霧ヘッドの径方向の外側に突出したフランジ部が形成され、前記オーバーキャップの天板部には、ヒンジ部周りで下方に折り曲げ可能に区画され、前記フランジ部の上端面を押し下げる一対の押圧板が前記オーバーキャップの中心軸線を径方向で挟むように形成され、前記押圧板において前記ヒンジ部の反対側に位置する押圧端部と該ヒンジ部との距離が、前記エアゾール容器への嵌合時における前記天板部の下面と前記フランジ部の上端面との距離よりも長いことを特徴とする。
【０００６】
この発明によれば、一対の押圧板それぞれがフランジ部の上端面を押し下げることで、噴霧ヘッドの上端位置によらずエアゾール容器内の残留ガスを抜き出すことができる。すなわち、押圧端部とヒンジ部との距離が押圧板を折り曲げないでオーバーキャップをエアゾール容器に嵌合させた状態における天板部とフランジ部の上端面との距離よりも長いため、押圧板を折り曲げてオーバーキャップをエアゾール容器に嵌合させると、押圧端部がフランジ部の上端面と接触すると共にこれを押し下げる。一般に、噴霧ヘッドにおいて、上端面の位置は噴霧ヘッドによって異なるが、フランジ部の上端面の位置は噴霧ヘッドによらずほぼ一定になっている。したがって、噴霧ヘッドの寸法によらず安定して残留ガスを抜き出すことができるため、オーバーキャップの適用範囲が広がる。
また、一対の押圧板がオーバーキャップの中心軸線を径方向で挟むように形成されているため、一対の押圧板それぞれが噴霧ヘッドの上端部を径方向で挟むようにしてフランジ部の上端面を押下する。したがって、一対の押圧板によるフランジ部の押下が安定して行われる。
【０００７】
また、本発明のオーバーキャップ付エアゾール容器は、前記天板部に、前記押圧板の折り曲げ姿勢を保持可能な係止部が形成されていることが好ましい。
この発明では、押圧板によりフランジ部の上端面を押し下げたときに押圧板の折り曲げ上体が支持されるため、一対の押圧板によるフランジ部の押下がより安定して行われる。
【０００８】
また、本発明のオーバーキャップ付エアゾール容器は、前記押圧板の両側縁の少なくとも一方に、該押圧板の幅方向に突出する突起部が形成され、前記係止部が、前記天板部の下面から下方に向けて突出すると共に前記押圧板の折り曲げ時に前記突起部を引っ掛けて前記折り曲げ方向と反対方向への移動を規制する凸部材であることとしてもよい。
この発明では、突起部が係止部に引っ掛かり、折り曲げ方向と反対側への押圧板の移動を規制することにより、押圧板の折り曲げ姿勢が保持される。
【０００９】
また、本発明のオーバーキャップ付エアゾール容器は、前記押圧端部に、前記押圧板の幅方向で他方の前記押圧板に向けて突出する押圧凸部が形成されていることが好ましい。
この発明では、押圧凸部によりフランジ部の上端面と押圧端部との接触面積が増大するため、押圧板によるフランジ部の押下が安定する。
【００１０】
また、本発明のオーバーキャップ付エアゾール容器は、前記押圧板が、該押圧板の延在方向に沿って形成された補強リブを有することが好ましい。
この発明では、押圧板の曲げ剛性が向上するため、フランジ部の上端面を押し下げた際に押圧板が曲がることを抑制できる。したがって、押圧板によるフランジ部の押下がさらに安定する。
【００１１】
また、本発明のオーバーキャップ付エアゾール容器は、前記押圧板が、前記押圧端部に形成された押圧リブを有することが好ましい。
この発明では、押圧端部の剛性が向上すると共に押圧端部とフランジ部の上端面との接触面積が増大するため、押圧板によるフランジ部の押下がさらに安定する。
【発明の効果】
【００１２】
この発明にかかるオーバーキャップ付エアゾール容器によれば、一対の押圧板それぞれがフランジ部の上端面を押し下げることで、噴霧ヘッドの上端位置によらずエアゾール容器内の残留ガスを抜き出すことができるため、オーバーキャップの適用範囲が広がる。
【発明を実施するための最良の形態】
【００１３】
以下、本発明によるオーバーキャップ付エアゾール容器の一実施形態を、図面に基づいて説明する。なお、以下の説明に用いる各図面では、各部材を認識可能な大きさとするために縮尺を適宜変更している。
【００１４】
本実施形態におけるオーバーキャップ付エアゾール容器１は、図１に示すように、エアゾール容器２と、エアゾール容器２に嵌合されるオーバーキャップ３とを備えている。
エアゾール容器２は、容器本体１１と、容器本体１１の上端面１１ａに上方付勢状態で立設されたステム１２と、ステム１２が嵌合されて導入口を有する噴霧ヘッド１３と、肩カバー１４とを備えている。
【００１５】
容器本体１１は、胴部１５と、この胴部１５の上端に設けられた肩部１６とを備えており、上端開口部にマウンティングカップ１７が巻き締められている。肩部１６は、中心軸線方向の上方に向かうにしたがって漸次縮径された外周面形状となっている。なお、容器本体１１の上端面１１ａとマウンティングカップ１７の上面とは、ほぼ面一となっている。
ステム１２は、マウンティングカップ１７の上面に上方付勢状態で立設されている。
噴霧ヘッド１３の下端部には、噴霧ヘッド１３の径方向の外側に突出し、噴霧ヘッド１３の上端面と比較して大径のフランジ部１８が設けられている。
肩カバー１４は、肩部１６の外周面を囲むように設けられており、小径部１４Ａと小径部１４Ａの下端に連設されて小径部１４Ａよりも大径の大径部１４Ｂとを備える二段形状となっている。
【００１６】
オーバーキャップ３は、図１から図３に示すように、平面視円形状の天板部２１と、この天板部２１の外周縁からほぼ垂下する円筒状の周壁部２２とを備えている。そして、オーバーキャップ３は、図１に示すように、周壁部２２の下端開口部における内周面が肩カバー１４の小径部１４Ａの外周面に嵌合されている。
【００１７】
天板部２１には、図１から図３に示すように、スリット２４を形成することによって一対の押圧板２５が下方に折り曲げ可能に区画されている。また、天板部２１には、一対の押圧板２５と同様に、一対の係止板組２６が設けられている。
一対の押圧板２５は、図２及び図３に示すように、オーバーキャップ３の中心軸線Ｏを中心として点対称となるように形成されている。したがって、一対の押圧板２５は、オーバーキャップ３の中心軸線Ｏをオーバーキャップ３の径方向で挟むように配置されている。そして、押圧板２５は、平面視でほぼ矩形状であり、一端縁に設けられたヒンジ部２８周りで下方に折り曲げ可能となっている。
また、押圧板２５においてヒンジ部２８の反対側に位置する押圧端部２５ａとヒンジ部２８との距離Ｌ１は、押圧板２５を折り曲げないでオーバーキャップ３をエアゾール容器２に嵌合させた状態において天板部２１の下面とフランジ部１８の上端面との距離Ｌ２よりも若干長くなっている。そして、一対のヒンジ部２８は、オーバーキャップ付エアゾール容器１の上面視において噴霧ヘッド１３の上端部を径方向で挟むように配置されている。なお、押圧端部２５ａとヒンジ部２８とは、天板部２１の上面視で互いに平行となっている。
【００１８】
また、押圧板２５の両側縁には、天板部２１の表面に沿った方向においてこれらの両側縁に直交する幅方向外方に向けて突出する突起部３１Ａ、３１Ｂが形成されている。突起部３１Ａ、３１Ｂそれぞれにおいて、ヒンジ部２８側の端縁は、その突出量がヒンジ部２８から離間するにしたがって増大する傾斜形状となっている。なお、突起部３１Ａ、３１Ｂそれぞれの押圧端部２５ａ側の端縁は、押圧端部２５ａ及びヒンジ部２８と平行となっている。また、突起部３１Ａ、３１Ｂそれぞれとヒンジ部２８との距離は、後述する係止板３６、３７それぞれの天板部２１からの突出量よりも小さくなっている。
そして、押圧板２５の押圧端部２５ａには、他方の押圧板２５に向けて突出する押圧凸部３２が形成されている。
【００１９】
また、押圧板２５の下面には、押圧板２５の幅方向のほぼ中央でヒンジ部２８とほぼ直交する方向に延在する補強リブ３３が噴霧ヘッド１３の上端面に向けて突出して形成されている。補強リブ３３の突出量は、ヒンジ部２８に近接する一端から他端に向かうにしたがって減少している。
そして、押圧板２５の下面には、押圧端部２５ａに沿う噴霧ヘッド１３の上端面に向けて突出する押圧リブ３４が設けられている。
【００２０】
また、押圧板２５の外周縁においてヒンジ部２８に連結される一端縁を除く部分は、押圧板２５の折り曲げ過程により容易に破断可能なブリッジ部３５によって天板部２１と連結されている。このようにブリッジ部３５を形成することで、押圧板２５の折り曲げ前において押圧板２５を天板部２１に対して安定して固定することができる。
なお、押圧板２５、突起部３１Ａ、３１Ｂ及び天板部２１それぞれの厚さは同等となっており、押圧板がブリッジ部３５によって天板部２１に連結された状態において、押圧板２５及び突起部３１Ａ、３１Ｂと天板部２１との間にはほぼ段差がない。したがって、オーバーキャップ３を径方向外方から見た外観形状は、従来品とほぼ同等となっている。
【００２１】
一対の係止板組２６は、一対の押圧板２５と同様に、オーバーキャップ３の中心軸線Ｏを中心として点対称となるよう形成されている。
係止板組２６は、一対の係止板（係止部）３６、３７を備えており、ヒンジ部２８の両端近傍に形成されている。そして、係止板３６、３７は、天板部２１からほぼ垂下して形成されている。また、係止板３６、３７それぞれの天板部２１に対する突出量は、オーバーキャップ３をエアゾール容器２に嵌合させた状態において、噴霧ヘッド１３の上端面と接触しない程度となっている。
【００２２】
係止板３６は、ヒンジ部２８における他方の押圧板２５側の一端の近傍に形成されている。そして、係止板３６は、突出方向に対して直交する方向における断面形状がＬ字状となっている。このように断面Ｌ字状とすることで、係止板３６の剛性が向上する。また、押圧板２５の幅方向における係止板３６とヒンジ部２８の前記一端との間隔は、突起部３１Ａの突出量よりも小さくなっている。
係止板３７は、ヒンジ部２８における前記一端と反対側の他端の近傍に形成されている。そして、係止板３７の一端縁は、周壁部２２の内周面に接続されている。このように、一端縁を周壁部２２の内周面に接続することで、係止板３７の剛性が向上する。また、押圧板２５の幅方向における係止板３７とヒンジ部２８の前記他端との間隔は、突起部３１Ｂの突出量よりも小さくなっている。
【００２３】
次に、以上のような構成のオーバーキャップ付エアゾール容器１による残留ガスの抜き出し方法について説明する。
まず、図４に示すように、押圧板２５を、ヒンジ部２８周りで下方にほぼ９０°折り曲げる。そして、突起部３１Ａ、３１Ｂそれぞれを係止板３６、３７に引っ掛ける。このとき、突起部３１Ａ、３１Ｂそれぞれは、押圧板２５が弾性変形することによって係止板３６、３７を乗り越えると共に、押圧板２５が弾性復帰することによって係止板３６、３７それぞれに引っ掛かる。これにより、押圧板２５が折れ曲がり方向と反対側に移動することが規制され、押圧板２５の折れ曲がり姿勢が保持される。また、突起部３１Ａ、３１Ｂの突出量がヒンジ部２８から離間するにしたがって増大する傾斜形状となっているため、突起部３１Ａ、３１Ｂそれぞれが滑らかに係止板３６、３７それぞれに摺接させることができる。
以上のようにして、一対の押圧板２５が、天板部２１から下方に向けて垂下するように折り曲げられる。
【００２４】
続いて、図５に示すように、押圧板２５が折り曲げられたオーバーキャップ３を、エアゾール容器２に嵌合させる。このとき、押圧端部２５ａとヒンジ部２８との距離Ｌ１が天板部２１の下面とフランジ部１８の上端面との距離Ｌ２よりも長いため、押圧板２５の押圧端部２５ａがフランジ部１８の上端面と接触する。そして、オーバーキャップ３をエアゾール容器２に嵌合させることにより、一対の押圧板２５それぞれが、フランジ部１８を押し下げる。
【００２５】
ここで、一対の押圧板２５は、一対の押圧板２５が点対称に形成されているため、噴霧ヘッド１３の上端部を径方向で挟むようにしてフランジ部１８を押し下げる。したがって、押圧板２５は、フランジ部１８の上端面を安定して押し下げることができる。また、押圧凸部３２により、押圧端部２５ａとフランジ部１８の上端面との接触面積が増大する。そして、補強リブ３３によって押圧板２５の剛性が向上するため、押圧板２５がその延在方向に沿って弾性変形しにくくなる。さらに、押圧リブ３４によって押圧端部２５ａの剛性が向上する。これらによっても、押圧板２５によるフランジ部１８の押下を安定させることができる。
以上のようにして、一対の押圧板２５がフランジ部１８を押し下げることにより、エアゾール容器２内の残留ガスを抜き出す。
【００２６】
以上のような構成のオーバーキャップ付エアゾール容器１によれば、一対の押圧板２５それぞれがフランジ部１８の上端面を押し下げることで、噴霧ヘッド１３の上端面の位置によらずエアゾール容器２内の残留ガスを抜き出すことができるため、オーバーキャップ３の適用範囲が広がる。
また、一対の押圧板２５が噴霧ヘッド１３の上端部を径方向で挟むようにしてフランジ部１８の上端面を押し下げるため、一対の押圧板２５による押下が安定して行われる。そして、押圧端部２５ａに押圧凸部３２及び押圧リブ３４を形成することで、押圧端部２５ａの剛性が向上すると共に押圧板２５とフランジ部１８の上端面との接触面積が増大し、押圧板２５による押下がより安定して行われる。さらに、補強リブ３３によって押圧板２５の延在方向における曲げ剛性が向上することによっても、押圧板２５による押下が安定して行われる。その上、係止板３６、３７によって押圧板２５の折り曲げ姿勢が保持されることによっても、押圧板２５による押下が安定して行われる。
【００２７】
なお、本発明は上記実施形態に限定されるものではなく、本発明の趣旨を逸脱しない範囲において種々の変更を加えることができる。
例えば、１つの押圧板に対して２つの係止板が設けられているが、いずれか一方のみであってもよく、押圧板によるフランジ部の上端面の押下を安定して行えれば係止板を設けなくてもよい。これは、突起部についても同様である。
また、押圧板の下面に補強リブ及び押圧リブが設けられているが、いずれか一方のみであってもよく、押圧板によるフランジ部の上端面の押下を安定して行えれば両者を設けなくてもよい。
そして、押圧板の押圧端部に押圧凸部が形成されているが、押圧板によってフランジ部の上端面を十分な力で押下できれば押圧凸部を形成しなくてもよい。
【産業上の利用可能性】
【００２８】
この発明によれば、噴霧ヘッドの高さによらず残留ガスを抜き出すことを可能とすることでオーバーキャップの適用範囲を広げたオーバーキャップ付エアゾール容器に関して、産業上の利用可能性が認められる。
【図面の簡単な説明】
【００２９】
【図１】本発明のオーバーキャップ付エアゾール容器を示す断面図である。
【図２】図１のオーバーキャップを示す平面図である。
【図３】図１のオーバーキャップを示す斜視図である。
【図４】押圧板を折り曲げた状態のオーバーキャップを示す斜視図である。
【図５】残留ガスの抜き出し方法を説明するための説明図である。
【符号の説明】
【００３０】
１  オーバーキャップ付エアゾール容器
２  エアゾール容器
３  オーバーキャップ
１１  容器本体
１１ａ  上端面
１２  ステム
１３  噴霧ヘッド
２１  天板部
２５  押圧板
２５ａ  押圧端部
３１Ａ，３１Ｂ  突起部
３２  押圧凸部
３３  補強リブ
３４  押圧リブ
３６，３７  係止板（係止部）
Ｌ１，Ｌ２  距離
Ｏ  中心軸線
【図１】
0005049742.tif 000002
【図２】
0005049742.tif 000003
【図３】
0005049742.tif 000004
【図４】
0005049742.tif 000005
【図５】
0005049742.tif 000006